(57)【要約】【課題】  出力トランジスタが温度上昇により熱破壊に至ることを防止し、かつ、アンプ回路に供給される電源電圧が頻繁に低電圧に切り換えられ音声信号に歪みが発生することを防止すること。【解決手段】  第２電源回路３からの電圧が第１閾値以上であり、かつ、アンプ回路６の出力信号のレベルが第２閾値以上である場合に、トランス１の二次巻線１Ｂから通常電圧を出力するように電圧切換部４を制御し、第２電源回路３からの電圧が第１閾値未満である、又は、アンプ回路６の出力信号が第２閾値未満である場合に、トランス１の二次巻線１Ｂから低電圧を出力するように電圧切換部４を制御する。【選択図】図１
2008118825.tif 000002
【特許請求の範囲】
【請求項１】
一次交流電圧が供給される一次巻線と、該一次巻線に供給された電圧から変換された二次交流電圧を出力する二次巻線とを有するトランスと、
該二次巻線の巻数を、通常電圧の二次交流電圧を出力する第１巻数と、低電圧の二次交流電圧を出力する第２巻数とのいずれかに切り換える電圧切換部と、
該一次交流電圧に対応する電圧が第１閾値以上であり、かつ、アンプ回路の出力信号が第２閾値以上である場合に、該二次巻線を該第２巻数に切り換えるよう該電圧切換部を制御し、該一次交流電圧に対応する電圧が該第１閾値未満である、又は、該アンプ回路の出力信号が該第２閾値未満である場合に、該二次巻線を該第１巻数に切り換えるように該電圧切換部を制御する制御手段とを備える、電源制御装置。
【請求項２】
前記一次交流電圧に対応する電圧が前記第１閾値以上であり、かつ、前記アンプ回路の出力信号が前記第２閾値以上である期間が所定期間以上継続したときに、前記制御手段が、前記二次巻線を前記第２巻数に切り換えるよう前記電圧切換部を制御する、請求項１に記載の電源制御装置。
【請求項３】
前記二次巻線が前記第２巻数に切り換えられた後、前記一次交流電圧に対応する電圧が前記第１閾値未満である、又は、前記アンプ回路の出力信号が前記第２閾値未満である期間が所定期間以上継続したときに、前記制御手段が、該二次巻線を前記第１巻数に切り換えるように前記電圧切換部を制御する、請求項２に記載の電源制御装置。
【請求項４】
前記トランスが、前記一次巻線に供給された電圧から変換された電圧を出力する第２の二次巻線をさらに有し、
前記一次交流電圧に対応する電圧が、該第２の二次巻線から供給される電圧である、請求項１〜３のいずれかに記載の電源制御装置。
【発明の詳細な説明】
【技術分野】
【０００１】
本発明は、トランスの二次巻線の巻数を切り換えることによりアンプ回路に供給する電源電圧を通常電圧と低電圧とに切り換える電源制御装置に関する。
【背景技術】
【０００２】
従来より、オーディオ用のアンプ回路として、出力トランジスタであるｎｐｎ型トランジスタとｐｎｐ型トランジスタとを備えるものが採用されている。このアンプ回路は、両トランジスタの各コレクタがそれぞれ正側電源ライン及び負側電源ラインに接続され、各エミッタが出力端子（スピーカー等の負荷）に接続されている。出力トランジスタは、アンプ回路が出力する電力に略比例して消費電力が生じ、その結果、発熱し、温度が上昇する。さらに、出力トランジスタの消費電力はコレクタに接続される電源電圧にも略比例し、電源電圧に応じて発熱し、温度が上昇する。出力トランジスタのコレクタに供給される電源電圧は、一般的に商用交流電源電圧（以下、一次交流電圧という）を、トランスを介して二次交流電圧に変換し、整流平滑された直流電圧である。一次交流電圧は、±１０％程度の変動幅があり、例えば、日本国内であれば定格電圧は１００Ｖであるが、実際には９０Ｖ〜１１０Ｖ範囲で変動する。コレクタに接続される電源電圧は、上記のように一次交流電圧をトランスを経由させた後、整流及び平滑した電圧であるので、一次交流電圧の変動幅に対応して、出力トランジスタに供給される電源電圧が変動する。その結果、同じ入力信号レベル／出力信号レベルでアンプ回路が使用されていても、一次交流電圧の変動によって出力トランジスタの発熱量が変化する。すなわち、同じボリューム値でアンプ回路が動作していても、一次交流電圧が定格電圧に比べて変動範囲の最大電圧（１１０Ｖ）近くになると、出力トランジスタの発熱量が非常に大きくなり、熱破壊に至る場合がある。
【０００３】
この問題を解決するためにアンプ回路の出力信号のレベルをマイコンで監視し、出力信号が所定のレベルを越えたときに、トランスからの二次交流電圧が低電圧になるようにトランスの二次巻線の巻数を切り換えることが提案されている。さらに、下記特許文献１は、一次交流電圧の値をマイコンで監視し、所定の閾値を越えたときに、トランスからの二次交流電圧が低電圧になるようにトランスの二次巻線の巻数を切り換えることを記載する。しかし、これらの方法においては、アンプからの出力信号が所定の閾値を越えること、又は、一次交流電圧が所定の閾値を越えることの一方を条件に低電圧に切り換えられるので、出力トランジスタが熱破壊に至るまで温度が上昇していないにも関わらず、アンプ回路に供給される電源電圧が頻繁に低電圧に切り換えられる。その結果、アンプ回路の出力信号がクリップし、出力信号に歪みが発生するという問題がある。
【０００４】
【特許文献１】特開平１１−１１００５４号公報
【発明の開示】
【発明が解決しようとする課題】
【０００５】
本発明は上記従来の課題を解決するためになされたものであり、その目的は、出力トランジスタが温度上昇により熱破壊に至ることを防止し、かつ、アンプ回路に供給される電源電圧が頻繁に低電圧に切り換えられ音声信号に歪みが発生することを防止する電源制御装置を提供することである。
【課題を解決するための手段】
【０００６】
本発明の好ましい実施形態による電源制御装置は、一次交流電圧が供給される一次巻線と、該一次巻線に供給された電圧から変換された二次交流電圧を出力する二次巻線とを有するトランスと、該二次巻線の巻数を、通常電圧の二次交流電圧を出力する第１巻数と、低電圧の二次交流電圧を出力する第２巻数とのいずれかに切り換える電圧切換部と、該一次交流電圧に対応する電圧が第１閾値以上であり、かつ、アンプ回路の出力信号が第２閾値以上である場合に、該二次巻線を該第２巻数に切り換えるよう該電圧切換部を制御し、該一次交流電圧に対応する電圧が該第１閾値未満である、又は、該アンプ回路の出力信号が該第２閾値未満である場合に、該二次巻線を該第１巻数に切り換えるように該電圧切換部を制御する制御手段とを備える。
【０００７】
好ましくは、前記一次交流電圧に対応する電圧が前記第１閾値以上であり、かつ、前記アンプ回路の出力信号が前記第２閾値以上である期間が所定期間以上継続したときに、前記制御手段が、前記二次巻線を前記第２巻数に切り換えるよう前記電圧切換部を制御する。
【０００８】
好ましくは、前記二次巻線が前記第２巻数に切り換えられた後、前記一次交流電圧に対応する電圧が前記第１閾値未満である、又は、前記アンプ回路の出力信号が前記第２閾値未満である期間が所定期間以上継続したときに、前記制御手段が、該二次巻線を前記第１巻数に切り換えるように前記電圧切換部を制御する。
【０００９】
好ましくは、前記トランスが、前記一次巻線に供給された電圧から変換された電圧を出力する第２の二次巻線をさらに有し、前記一次交流電圧に対応する電圧が、該第２の二次巻線から供給される電圧である。
【発明の効果】
【００１０】
一次交流電圧に対応する電圧が第１閾値以上であり、かつ、アンプ回路の出力信号が第２閾値以上であることを検知したとき、制御手段は、低電圧の二次交流電圧を出力するように電圧切換部を制御する。従って、出力トランジスタの温度上昇を抑制し、破損を防止できる。一次交流電圧に対応する電圧の値を電圧切換の条件にするのは、アンプ回路に供給される電源電圧が一次交流電圧に略比例するからである。なお、一次交流電圧に対応する電圧は、代表的には、第２の二次巻線から出力される二次交流電圧である。一次交流電圧に対応する電圧が第１閾値以上であり、かつ、アンプ回路の出力信号が第２閾値以上であるという条件は、アンプ回路の出力トランジスタの温度が特に上昇し、この状態が継続したときにトランジスタが熱破壊に至る可能性がある条件である。この条件を満足して初めてアンプ回路に供給する電源電圧を低電圧に切り換えることにより、出力トランジスタの熱破損を防止すると共に、アンプ回路に供給する電源電圧が頻繁に低電圧に切り換えられないので、出力信号に歪みが発生することを防止することができる。
【発明を実施するための最良の形態】
【００１１】
以下、本発明の好ましい実施形態について、図面を参照して具体的に説明するが、本発明はこれらの実施形態には限定されない。図１は、本発明の好ましい実施形態による電源制御装置１００を説明する概略回路図である。電源制御装置１００は、電源回路と、電源回路を制御する制御部とからなる。具体的には、電源制御装置１００は、トランス１と、第１電源回路２と、第２電源回路３と、電圧切換部４と、制御部（例えばマイクロコンピュータ、以下、マイコンという）５とを備える。これらは、アンプ回路６に接続されており、電源電圧をアンプ回路６に供給する。
【００１２】
トランス１は、商用交流電源に接続され一次交流電圧が入力される一次巻線１Ａと、一次巻線１Ａとの巻数比に基づいて一次交流電圧を二次交流電圧に変換して出力する二次巻線１Ｂとを有する。二次巻線１Ｂから出力される二次交流電圧は、アンプ回路６の電源電圧として用いられる。二次巻線１Ｂは、図示の通り、２種類の線が引き出されており、通常電圧の二次交流電圧と、低電圧の二次交流電圧とを出力する。例えば、一次交流電圧が定格電圧である１００Ｖの場合、例えば、通常電圧の二次交流電圧は５７Ｖであり、低電圧の二次交流電圧は２８Ｖである。
【００１３】
また、トランス１は、一次巻線１Ａとの巻数比に基づいて二次交流電圧を出力する二次巻線１Ｃ（第２の二次巻線）を有する。二次巻線１Ｃから出力される二次交流電圧は、マイコン５が、一次交流電圧が定格電圧よりも高い電圧であるか否かを判断し、その結果に基づいて電圧切換部４を制御するために使用される。
【００１４】
第１電源回路２は、トランス１の二次巻線１Ｂから二次交流電圧が供給され、二次交流電圧を整流及び平滑して、アンプ回路６に供給するための直流の電源電圧（以下、単に電源電圧という）を生成する。第１電源回路２は、通常電圧の二次交流電圧が供給され、通常電圧の電源電圧に整流する全波整流回路Ｄ１と、通常電圧よりも低電圧である二次交流電圧が供給され、低電圧の電源電圧に整流する全波整流回路Ｄ２と、全波整流回路Ｄ１、Ｄ２からの電圧を平滑するコンデンサＣ１、Ｃ２とを有する。すなわち、全波整流回路Ｄ１は、トランス１の二次巻線１Ｂの巻数が全波整流回路Ｄ２の接続先よりも大きくなるように二次巻線１Ｂに接続され、全波整流回路Ｄ２は、二次巻線１Ｂの巻数が全波整流回路Ｄ１の接続先よりも小さくなるように二次巻線１Ｂに接続されている。
【００１５】
第２電源回路３は、二次巻線１Ｃから二次交流電圧が供給され、二次交流電圧を整流及び平滑して、マイコン５に供給する。第２電源回路３は、全波整流回路Ｄ３及びコンデンサＣ３を含む。第２電源回路３の出力端は、マイコン５の後述する電源電圧検出端子５Ａに接続されている。
【００１６】
電圧切換部４は、アンプ回路６に供給する電源電圧を通常電圧の電源電圧と低電圧の電源電圧とのいずれか一方に切り換える（選択する）。つまり、電圧切換部４は、二次巻線１Ｂの巻数を、通常電圧の二次交流電圧を出力する第１巻数と、低電圧の二次交流電圧を出力する第２巻数とに切り換える。より具体的には、電圧切換部４は、第１電源回路２の全波整流回路Ｄ１、Ｄ２と、コンデンサＣ１、Ｃ２との間に設けられており、コンデンサＣ１、Ｃ２に供給する電圧（アンプ回路６の電源ラインＶ＋、Ｖ−に供給される電圧）を、全波整流回路Ｄ１からの通常電圧と、全波整流回路Ｄ２からの低電圧とのいずれかを選択して出力する。
【００１７】
電圧切換部４は、代表的には、巻線（ソレノイド、コイル等）を有するリレー回路が採用され得る。電圧切換部４は、リレー回路であるスイッチ４Ａ、４Ｂ及び巻線４Ｃと、リレー回路を制御するためのリレードライブ用のトランジスタＱ１とを有する。スイッチ４Ａは、その一端がアンンプ回路６の正側電源ラインＶ＋とコンデンサＣ１の一端とに接続されており、その他端が全波整流回路Ｄ１の出力の一端と、全波整流回路Ｄ２の出力の一端とに切換可能に接続されている。スイッチ４Ｂは、その一端がアンプ回路６の負側電源ラインＶ−とコンデンサＣ２の一端とに接続されており、その他端が全波整流回路Ｄ１の出力の他端と、全波整流回路Ｄ２の出力の他端とに切換可能に接続されている。スイッチ４Ａ及び４Ｂは、相互に連動して全波整流回路Ｄ１側又はＤ２側に切り換えられる。巻線４Ｃは、その一端が直流電源ＤＣに接続され、その他端がトランジスタＱ１のコレクタに接続されている。トランジスタＱ１は、ベースがマイコン５の後述する制御信号出力端子５Ｃに接続され、エミッタが接地されている。
【００１８】
通常の状態では、トランジスタＱ１はオフ状態であるので、巻線４Ｃには電流が流れず、スイッチ４Ａ、４Ｃは、全波整流回路Ｄ１側を選択している。従って、アンプ回路６の電源ラインＶ＋、Ｖ−には通常電圧の電源電圧が全波整流回路Ｄ１から供給される。一方、一次交流電圧に対応する電圧が第１閾値以上になり、かつ、アンプ回路６の出力信号が第２閾値以上になったときには（好ましくは、その状態が所定時間以上継続した場合）、トランジスタＱ１がオン状態になり、巻線４Ｃに電流が流れ、スイッチ４Ａ、４Ｂが全波整流回路Ｄ２側を選択する。従って、アンプ回路６の電源ラインＶ＋、Ｖ−には低電圧の電源電圧が全波整流回路Ｄ２から供給される。
【００１９】
マイコン５は、電源電圧検出端子５Ａと、出力信号検出端子５Ｂと、制御信号出力端子５Ｃとを有する。電源電圧検出端子５Ａは、アンプ回路６の正側電源ラインＶ＋及び負側電源ラインＶ−に供給される電源電圧を検出するための端子であり、正側電源ラインＶ＋及び負側電源ラインＶ−に供給される電源電圧の代わりに、一次交流電圧に対応する電圧が供給され、その値を検知する。一次交流電圧に対応する電圧とは、一次交流電圧、又は、一次交流電圧をトランス１で電圧変換した二次交流電圧である。好ましくは、図１のように、第２電源回路３で生成される二次交流電圧が一次交流電圧に対応する電圧として電源電圧検出端子５Ａに供給される。すなわち、本例では、第２電源回路３で生成される二次交流電圧を第１閾値と比較することにより、アンプ回路６の正側電源ラインＶ＋及び負側電源ラインＶ−に供給される電源電圧が大きいか否かを判別する。
【００２０】
出力信号検出端子５Ｂは、アンプ回路６の出力信号のレベルを検出するための端子であり、アンプ回路６の出力端子６Ａが接続されている。図１では簡略化のためアンプ回路６を１つしか記載しないが、例えば、ＬＲ２チャンネルアンプの場合、詳細には、アンプ回路６がＬＲ２つ設けられる。図２に示すように、Ｌチャンネル用アンプ回路の出力端子６ＡＬ及びＲチャンネル用アンプ回路の出力端子６ＡＲがそれぞれダイオードＤ４、Ｄ５を介して、出力信号検出端子５Ｂに接続される。ダイオードＤ４、Ｄ５の各カソードと出力信号検出端子５Ｂとの間には、コンデンサＣ４、抵抗Ｒ１及びツェナーダイオードＤ６が接続されている。Ｌチャンネル用アンプ又はＲチャンネル用アンプの出力信号のうちレベルが高い方の信号によりコンデンサＣ４が充放電され、コンデンサＣ４の電圧が出力信号検出端子５Ｂに供給されることになる。
【００２１】
図１に戻り、制御信号出力端子５Ｃは、電圧切換部４のリレー回路を制御するための制御信号を出力する端子である。つまり、制御信号出力端子５Ｃは、リレードライブ用のトランジスタＱ１を制御するための信号を出力する端子である。
【００２２】
マイコン５は、アンプ回路６の正側電源ラインＶ＋に供給される電源電圧が所定電圧以上であるか否かを判断する（同様に、負側電源ラインＶ−に供給される電源電圧が所定電圧以下であるかを判断する）。なお、電源ラインＶ＋、Ｖ−に供給される電源電圧は、アンプ回路６の出力信号の最大値となる電圧である。本例において、マイコン５は、電源ラインＶ＋、Ｖ−に供給される電源電圧の代わりに、電源電圧検出端子５Ａに第２電源回路３から供給される電圧が第１閾値以上であるか否かを判断する。例えば、一次交流電圧の定格電圧が１００Ｖであり、一次交流電圧が９０Ｖ〜１１０Ｖの間で変動し、その結果、第２電源回路３で生成される電圧が定格電圧の場合に１０Ｖで、９Ｖ〜１１Ｖの間で変動するとすれば、第１閾値は例えば１０．５Ｖに設定される。
【００２３】
また、マイコン５は、出力信号検出端子５Ｂに入力される出力信号のレベルが所定のレベル以上であるか否かを判断する。具体的には、上記の通り、Ｌチャンネルアンプの出力信号及びＲチャンネルアンプの出力信号の大きい方に基づいてコンデンサＣ４が充電され、コンデンサＣ４の充電電圧が出力信号検出端子５Ｂに入力されるので、マイコン５は、コンデンサＣ４の充電電圧と第２閾値とを比較する。
【００２４】
上記判断の結果、マイコン５は、電源電圧検出端子５Ａに入力される電圧が第１閾値以上であり、かつ、出力信号検出端子５Ｂに入力される電圧が第２閾値以上である場合、制御信号出力端子５ＣからトランジスタＱ１をオン状態にするハイレベルの信号を出力する。一方、マイコン５は、電源電圧検出端子５Ａに入力される電圧が第１閾値未満である、又は、出力信号検出端子５Ｂに入力される電圧が第２閾値未満である場合、制御信号出力端子５ＣからトランジスタＱ１をオフ状態にするローレベルの信号を出力する。
【００２５】
好ましくは、マイコン５は、電源電圧検出端子５Ａに入力される電圧が第１閾値以上であり、かつ、出力信号検出端子５Ｂに入力される電圧が第２閾値以上である期間が所定期間継続して初めて、制御信号出力端子５ＣからトランジスタＱ１をオン状態にするハイレベルの信号を出力する。所定期間は、アンプ回路６の出力トランジスタの耐温度特性によって任意の値に設定され得るが、例えば５秒である。詳細には、マイコン５内部にタイマ処理部５Ｄが設けられており、電源電圧検出端子５Ａに入力される電圧が第１閾値以上であり、かつ、出力信号検出端子５Ｂに入力される電圧が第２閾値以上であることを検出すると、タイマのカウントを開始する。そして、当該状態が継続している間、タイマのカウントを継続する。所定期間が経過する前にトランジスタＱ１をオン状態にさせると、アンプ回路６の出力トランジスタの温度が破損する温度付近まで上昇していないにも関わらず、電源ラインＶ＋、Ｖ−に供給される電源電圧が低電圧に切り換えられ、その結果アンプ回路６の出力信号に歪みが生じるという問題があるが、本例ではこの問題を解決できる。
【００２６】
アンプ回路６は、任意の適切なアンプ回路が採用され得る。本例では、アンプ回路６は、ｎｐｎ型の出力トランジスタＱ２と、ｐｎｐ型の出力トランジスタＱ３と、出力トランジスタＱ２、Ｑ３をそれぞれ駆動するためのドライバトランジスタＱ４、Ｑ５と、抵抗Ｒ２〜Ｒ６と、コンデンサＣ５とを有する。出力トランジスタＱ２は、コレクタが正側電源ラインＶ＋に、エミッタが抵抗Ｒ４を介して出力端子６Ａに、ベースが抵抗Ｒ２を介してドライバトランジスタＱ４のエミッタにそれぞれ接続されている。出力トランジスタＱ３は、コレクタが負側電源ラインＶ−に、エミッタが抵抗Ｒ５を介して出力端子６Ａに、ベースが抵抗Ｒ３を介してドライバトランジスタＱ５のエミッタにそれぞれ接続されている。アンプ回路６の動作自体は周知であるので、説明を割愛する。
【００２７】
以上の構成を有する電源制御装置１００についてその動作を説明する。まず、通常状態の動作を説明する。通常状態とは、トランジスタＱ２、Ｑ３の温度が破損する温度ではないと判断されている状態であり、電源電圧検出端子５Ａに入力される電圧が第１閾値未満である、又は、出力信号検出端子５Ｂに入力される電圧が第２閾値未満である状態である。この場合、マイコン５が制御信号出力端子５Ｃからローレベルの信号を出力するので、トランジスタＱ１はベースエミッタ間電圧が導通開始電圧未満となりオフ状態である。そのため、リレー回路の巻線４Ｃには電流が流れないので、スイッチ４Ａ、４Ｂは全波整流回路Ｄ１側を選択する。その結果、アンプ回路６には全波整流回路Ｄ１からの通常電圧の電源電圧が供給される。
【００２８】
次に、電源電圧検出端子５Ａに供給される電圧が第１閾値以上であり、かつ、出力信号検出端子５Ｂに供給される電圧が第２閾値以上である期間が所定時間継続した際の動作を説明する。この場合には、このまま通常電圧の電源電圧をアンプ回路６に供給し続けた場合、出力トランジスタＱ２、Ｑ３が破損に至ることが推定されるので、アンプ回路６に供給する電源電圧を低電圧に切り換える。つまり、マイコン５が制御信号出力端子５Ｃからハイレベルの信号を出力するので、トランジスタＱ１はベースエミッタ間電圧が導通開始電圧以上になりオン状態になる。そのため、リレー回路の巻線４Ｃには、直流電源ＤＣからトランジスタＱ１に向かう方向に電流が流れ、スイッチ４Ａ、４Ｂは全波整流回路Ｄ２を選択するように切り換えられる。その結果、アンプ回路６には全波整流回路Ｄ２から低電圧である電源電圧が供給される。従って、アンプ回路６に供給される電源電圧が低電圧に切り換えられることにより、出力トランジスタＱ２、Ｑ３の温度上昇を抑制することができ、破損を防止できる。
【００２９】
次に、アンプ回路６に低電圧の電源電圧を供給している状態（つまり、スイッチ４Ａ、４Ｂが全波整流回路Ｄ２を選択した状態）で、電源電圧検出端子５Ａに入力される電圧が第１閾値未満である、又は、出力信号検出端子５Ｂに入力される電圧が第２閾値未満である状態が所定期間（例えば１分間）継続した場合、出力トランジスタＱ２、Ｑ３の温度が、通常電圧の電源電圧を今後与え続けてもトランジスタが破損しない程度に十分に低下したと推定される。従って、マイコン５は、制御信号出力端子５Ｃからローレベルの信号を出力し、トランジスタＱ１はベースエミッタ間電圧が導通開始電圧未満になりオフ状態になる。そのため、リレー回路の巻線４Ｃには電流が流れなくなり、スイッチ４Ａ、４Ｂは全波整流回路Ｄ１側に再び切り換えられる。その結果、アンプ回路６には全波整流回路Ｄ１から通常電圧の電源電圧が供給される。
【００３０】
以上のように、本実施形態においては、電源電圧検出端子５Ａに入力される電圧が第１閾値以上であり、かつ、出力信号検出端子５Ｂに入力される電圧が第２閾値以上になると、アンプ回路６に供給する電源電圧を低電圧に切り換える。アンプ回路６に供給される電源電圧を低電圧に切り換えることにより、トランジスタＱ２、Ｑ３の温度を低下させることができる。また、トランジスタＱ２、Ｑ３が破損に至る温度になっていないにも関わらず頻繁にアンプ回路６に供給する電圧が低電圧に切り換わり、出力信号に歪みが生じるということを防止することができる。
【００３１】
以上、本発明の好ましい実施形態について説明したが、本発明はこれらの実施形態には限定されない。なお、実用例として、マイコン５の耐圧が５Ｖの場合、一次交流電圧が定格の１００Ｖのときに二次巻線１Ｃからの二次交流電圧が２５Ｖであれば、２５Ｖの電圧を抵抗素子によって１／１０の電圧に分圧し、２．５Ｖの電圧にしてマイコンに入力すればよい。このとき、第１閾値は例えば２．６２５Ｖに設定される。同様に、アンプ回路６の出力信号のマイコンへの入力が５Ｖを越えないように、図２のツェナーダイオードをツェナー電圧５Ｖのものを使用すればよい。一次交流電圧に対応する電圧として、上記実施例のような二次交流電圧ではなく、一次交流電圧をフォトカプラ等を介して電源電圧検出端子５Ｃに直接供給してもよい。
【産業上の利用可能性】
【００３２】
本発明は、ＡＶアンプや、ＤＶＤプレーヤ等を代表とする各種電子機器の電源回路に好適に採用され得る。
【図面の簡単な説明】
【００３３】
【図１】本発明の好ましい実施形態による電源制御装置１００を示す概略回路図である。
【図２】アンプ回路６とマイコン５との詳細な接続構成を示す回路図である。
【符号の説明】
【００３４】
１００    電源制御装置
１        トランス
２        第１電源回路
３        第２電源回路
４        電圧切換部
５        制御部
６        アンプ回路
【図１】
2008118825.tif 000003
【図２】
2008118825.tif 000004